(57)【要約】      （修正有）【課題】鋏を使用して行う摘果作業時における鋏保持状態での手の疲労度を軽減できるとともに、摘果作業効率を向上させ得る鋏把持用補助具を提供する。【解決手段】鋏操作用で指穴のない棒状の両把手１２，１３を有した鋏１を手で把持する際に使用する鋏把持用の補助具であって、一方の把手１２を差込んで保持し得るホルダー部２１と親指付根４２部分に装着する親指付根装着部２２とを一体に結合させてなる親指側把手保持具２と、他方の把手１３を差込んで保持し得るホルダー部３１と親指以外の他指４３部分に装着する他指装着部とを一体に結合させてなる他指側把手保持具３とのセットで構成する。親指側把手保持具と他指側把手保持具を手に装着して鋏を把持することにより、各指による把手に対する把持力を解放しても鋏が手から脱落しないようにできる。【選択図】図２
0003192411.tif 000002
【実用新案登録請求の範囲】
【請求項１】
鋏操作用で指穴のない棒状の両把手（１２，１３）を有した鋏（１）を手で把持する際に使用する鋏把持用の補助具であって、
一方の上記把手（１２）を差込んで該把手（１２）を保持し得るホルダー部（２１）と親指付根（４２）部分に装着する親指付根装着部（２２）とを一体に結合させてなる親指側把手保持具（２）と、他方の上記把手（１３）を差込んで該把手（１３）を保持し得るホルダー部（３１）と親指以外の他指（４３）部分に装着する他指装着部（３２）とを一体に結合させてなる他指側把手保持具（３）との２セットで構成している、
ことを特徴とする鋏把持用の補助具。
【考案の詳細な説明】
【技術分野】
【０００１】
本願考案は、鋏操作用で指穴のない棒状の両把手を有した鋏を手で把持する際に使用する鋏把持用の補助具に関するものである。
【背景技術】
【０００２】
例えば、果樹栽培業者が果実を収穫する際には、摘果鋏や採果鋏等と称されている果実収穫用鋏を使用して果実を摘み取るが、収穫最盛期には長時間連続して鋏を開閉操作（両把手を握持・解放操作）する必要がある。
【０００３】
ところで、この種の果実収穫用に使用される鋏は、例えば図５に示すように、両把手１２，１３が指穴のない棒状であるので、該鋏１を手に持ち続けるには、一方（図５の右側）の把手１２を親指付根４２部分で把持しておく（親指４１を内側に曲げておく）一方、他方（図５の左側）の把手１３を親指以外の指（以下、他指という）４３，４３・・で把持しておく（各他指４３の指先側を内側に曲げておく）必要がある。即ち、各把手１２，１３の把持を解放する（各指４１，４３をのばす）と、鋏１が手から脱落してしまうので、１つの果実の摘果作業と次の果実の摘果作業の間にも、常時両把手１２，１３を各指（親指４１、他指４３）で把持しておく必要がある。特に、この種の果実収穫用鋏１には、両把手１２，１３を外側に付勢するバネ１５が介設されており、該バネ１５の付勢力に抗して両把手１２，１３を把持し続けておく必要がある。
【０００４】
そして、収穫時の摘果作業は、１回当たり（次の休憩まで）かなりの長時間連続して行われるが、その摘果作業中は、鋏１を持つ手が図５に示すように鋏把持状態で拘束されることになり、しかもバネ１５の付勢力に抗して両把手１２，１３を常時握り続けておく必要があるので、鋏把持状態を続けることは手が疲れる作業となる。尚、このような鋏把持状態は、１つの果実の摘果を終えてその果実を収穫カゴに入れ、次の果実の摘果作業を行うための作業移行時間（摘果待ち時間）の間も継続されるものである。
【０００５】
従って、この種の鋏使用による摘果作業中は、鋏１を手で把持し続ける必要があることから、手の疲労度が高くなるという問題があった。又、この種の摘果作業時には、鋏１を長時間把持し続けることでの手の疲れを癒す（回復させる）ために、比較的短時間の間隔で鋏１から手を離して指の拘束を解除する（指をのばす）ことが行われるが、その結果、摘果作業の中断回数が多くなって（実質摘果時間が短くなって）作業効率が悪くなるという問題もあった。
【考案の概要】
【考案が解決しようとする課題】
【０００６】
そこで、本願考案は、鋏を使用して行う摘果作業時における鋏保持状態での手の疲労度を軽減できるとともに、実質摘果時間を長くできることで摘果作業効率を向上させ得るようにした鋏把持用の補助具を提供することを目的としている。
【課題を解決するための手段】
【０００７】
本願考案は、上記課題を解決するための手段として次の構成を有している。尚、本願考案は、添付の図１〜図４に例示するように、鋏操作用の両把手１２，１３が指穴のない棒状である鋏１を手で把持する際に使用する鋏把持用の補助具を対象にしたものである。尚、本願考案の名称は「鋏把持用の補助具」であるが、以下の説明では、本願考案の名称を簡略して「鋏把持用補助具」ということがある。
【０００８】
そして、本願考案の鋏把持用補助具は、上記鋏１の一方の把手１２を親指付根４２部分で保持するための親指側把手保持具２と、上記鋏１の他方の把手１３を親指以外の他指４３部分で保持するための他指側把手保持具３との２セットで構成したものである。尚、上記した親指以外の他指４３とは、人差し指から小指までの４指のうちの何れかの指であるが、実際には図２に示すように薬指が適当である。
【０００９】
上記親指側把手保持具２は、鋏１の一方の把手１２を差込んで該把手１２を保持し得るホルダー部２１と親指付根４２部分に装着する親指付根装着部２２とを一体に結合させたものである。
【００１０】
上記他指側把手保持具３は、鋏１の他方の把手１３を差込んで該把手１３を保持し得るホルダー部３１と親指４１以外の他指４３に装着する他指装着部３２とを一体に結合させたものである。
【００１１】
そして、本願考案の鋏把持用補助具は、次のようにして使用される。尚、鋏１で摘果作業を行う場合は、手に作業用手袋（例えば軍手）を装着した状態で行うが、その場合は、本願の鋏把持用補助具を作業用手袋の外側に装着する。
【００１２】
親指側把手保持具２は、その親指付根装着部２２を親指付根４２部分に装着することで、ホルダー部２１を親指付根４２部分の手のひら側における手の長さ方向に向けて配置できる。他方、他指側把手保持具３は、その他指装着部３２を他指（例えば薬指）４３部分に装着することで、ホルダー部３１を他指（薬指）４３部分の手のひら側における指と直交方向に向けて配置できる。
【００１３】
そして、上記親指側把手保持具２と他指側把手保持具３とを手に装着した状態で、親指側把手保持具２のホルダー部２１に鋏１の一方の把手１２を差込む一方、他指側把手保持具３のホルダー部３１に該鋏１の他方の把手１３を差込むことで、図２に示すように鋏１の各把手１２，１３をそれぞれのホルダー部２１，３１に保持させることができる。
【考案の効果】
【００１４】
上記のように、本願考案の鋏把持用補助具は、鋏１の一方の把手１２を保持して親指付根４２部分に装着できる親指側把手保持具２と、該１２の他方の把手１３を保持して他指（例えば薬指）４３に装着できる他指側把手保持具３との２セットで構成されていて、この鋏把持用補助具を使用すると、手を開いたまま（各指４１，４３で両把手１２，１３を把持しなくても）でも鋏１が手から脱落することがない。尚、この鋏把持用補助具を使用して、手に鋏１を装着した状態では、各指４１，４３で両把手１２，１３を近接・離間させることで、各刃部１１，１１による剪断作業が通常通り行える。
【００１５】
このように、本願考案の鋏把持用補助具を使用すると、摘果作業の待ち時間（次の摘果作業までの合間）のたびに、各指４１，４３を自由にできる時間を確保できるので、鋏保持のための手の疲労度を軽減できるという効果があるほか、手の疲労度が軽減できることにより、手の疲れ回復のための作業中断回数を少なくできることで、摘果作業効率を向上させることができるという効果もある。
【図面の簡単な説明】
【００１６】
【図１】本願実施例の鋏把持用補助具とこの鋏把持用補助具を適用する鋏の各平面図である。
【図２】図１の鋏把持用補助具と鋏とを手に装着した状態の平面図である。
【図３】図２のIII−III断面図である。
【図４】図２のIV−IV断面図である。
【図５】通常の鋏使用状態の説明図である。
【考案を実施するための形態】
【００１７】
［実施例］
以下、図１〜図４を参照して本願実施例の鋏把持用補助具を説明すると、この実施例の鋏把持用補助具は、図１〜図２に示すように鋏操作用の両把手１２，１３が指穴のない棒状である鋏１を手で把持する際に使用するものである。
【００１８】
この実施例で使用される鋏１は、図１及び図２に示すように、刃部１１と把手１２（又は１３）とを一体に連続させた一対の鋏半体１０，１０を刃部１１の基端部で支軸１４により枢支しているとともに、一対の把手１２，１３間に該両把手を開き方向に付勢するバネ１５を介設したものである。
【００１９】
ところで、この鋏１は、両把手１２，１３が指穴のない棒状に成形されていて、この鋏１を手から脱落しないように把持するには、図５（従来例）に示すように各把手１２，１３にそれぞれの指４１，４３を掛けておく必要がある。そして、この場合は、上記［背景技術］の項で説明したように、鋏１の両把手を把持しておく必要があることから、手が疲れるという問題があった。
【００２０】
そこで、この実施例の鋏把持用補助具は、図２に示すように、手に鋏１を装着した状態で手を開いても該鋏１が手から脱落することがなく、しかも鋏使用時に両把手１２，１３を直ちに握ることができるようにしたものである。
【００２１】
この実施例の鋏把持用補助具は、図１及び図２に示すように、鋏１の一方の把手１２を親指付根４２部分で保持するための親指側把手保持具２と、他方の把手１３を親指以外の他指４３部分で保持するための他指側把手保持具３との２セットで構成したものである。
【００２２】
上記親指側把手保持具２は、鋏１の一方の把手１２を差込んで該把手１２を保持し得るホルダー部２１と親指付根４２部分に装着する親指付根装着部２２とを一体に結合させたものである。
【００２３】
この親指側把手保持具２のホルダー部２１は、可撓性のある生地で把手１２を摩擦保持状態で挿脱し得るような筒状に形成したものである。そして、この実施例では、親指側把手保持具２側のホルダー部２１として、例えば長さが７０〜８０mmで有底（符号２１ａ）の細長い袋状のものを採用しており、該ホルダー部２１内に鋏１の把手１２を差込んだ際に、図３に示すように該把手１２の先端１２ａがホルダー部２１の底部２１ａから突き抜けないようにしている。
【００２４】
親指側把手保持具２の親指付根装着部２２は、上記ホルダー部２１を手の親指付根４２部分の手のひら側における手の長手方向に向けて配置するものである。そして、この親指付根装着部２２は、例えば親指付根４２部分から手首４４部分にかけて被覆するカバー部２３と手首４４に巻き付けるバンド部２４とを有したものを採用している。バンド部２４の両端部には、該バンド部２４を手首４４に巻付けた状態で該バンド部両端部を結合させる止め具２５，２６として面ファスナーを設けている。尚、この各止め具２５，２６は、面ファスナーに代えてホックを使用してもよい。
【００２５】
上記ホルダー部２１と親指付根装着部２２との一体化は、該ホルダー部２１を上記カバー部２３に対して例えば縫合によって固着（固着部２７）することで実施できる。
【００２６】
上記他指側把手保持具３は、鋏１の他方の把手１３を差込んで該把手１３を保持し得るホルダー部３１と親指４１以外の他指４３に装着する他指装着部３２とを一体に結合させたものである。尚、上記した親指以外の他指４３とは、人差し指から小指までの４指のうちの何れかの指であるが、実際には図２に示すように薬指が適当である。又、他の実施例では、該他指４３として、中指と薬指の２本を採用したものでもよい。
【００２７】
この他指側把手保持具３のホルダー部３１は、可撓性のある生地で把手１３を摩擦保持状態で挿入し得るような筒状に形成したものである。そして、この実施例では、他指側把手保持具３のホルダー部３１として、内部空所が貫通している筒体で、長さが例えば２０〜３０mmのものを採用できる。尚、このホルダー部３１には、図４に示すように把手１３が貫通ように装着されるが、該ホルダー部３１内に把手１３を挿通させた状態では、該把手１３を適度の摩擦力で保持し得るようになっている。
【００２８】
他指側把手保持具３の他指装着部３２は、上記ホルダー部３１を手の他指（例えば薬指）４３部分の手のひら側における指と直交方向に向けて配置するもので、この実施例では、該他指装着部３２としてゴムバンドを採用している。この場合、上記ホルダー部３１と他指装着部３２との一体化は、該ホルダー部３１に上記他指装着部（ゴムバンド）３２を縫合によって固着（固着部３３）することで実施できる。
【００２９】
この実施例の鋏把持用補助具は、次のようにして使用される。尚、鋏１で摘果作業を行う場合は、手に作業用手袋（例えば軍手）を装着した状態で行うが、その場合は、本願の鋏把持用補助具を該作業用手袋の外側に装着する。
【００３０】
親指側把手保持具２は、図２及び図３に示すように、その親指付根装着部２２を親指付根４２部分から手首４４部分に跨がって装着することで、ホルダー部２１を親指付根４２部分の手のひら側における手の長さ方向に向けて配置できる。
【００３１】
他指側把手保持具３は、図２及び図４に示すように、その他指装着部（ゴムバンド）３２を他指（薬指）４３部分に装着する（巻き付ける）ことで、ホルダー部３１を他指（薬指）４３部分の手のひら側における指と直交方向に向けて配置できる。
【００３２】
そして、上記親指側把手保持具２と他指側把手保持具３とを手に装着した状態で、親指側把手保持具２のホルダー部２１に鋏１の一方の把手１２を差込む一方、他指側把手保持具３のホルダー部３１に該鋏１の他方の把手１３を差込むことで、図２に示すように鋏１の各把手１２，１３をそれぞれのホルダー部２１，３１に保持させることができる。
【００３３】
各ホルダー部２１，３１で各把手１２，１３を保持した状態（図２の状態）では、親指４１と他指４３，４３・・で鋏１の両把手１２，１３をそれぞれ把持でき（例えば図５の状態）、その状態で両把手１２，１３を近接・離間させることで、各刃部１１，１１による剪断作業が可能となる。
【００３４】
他方、各ホルダー部２１，３１で各把手１２，１３を保持した状態では、図２に示すように、手を開いたまま（各指４１，４３をのばした状態）で手のひら側を下向きにしても、各把手１２，１３が各ホルダー部２１，３１で保持されているので、鋏１が手から脱落することがない。
【００３５】
このように、摘果作業の中断中には、各把手１２，１３に対する把持力（各指での拘束）を解除させても何ら問題がなく、実質摘果作業の合間に手を休めることができる。従って、この実施例の鋏把持用補助具を使用すると、実質摘果作業の合間のたびに、各指４１，４３を自由にできる（指をのばす）時間を確保できるので、鋏保持のための疲労度を軽減できるとともに、手の疲労度が軽減できることにより、手の疲れ回復のための作業中断回数を少なくできる（摘果作業効率を向上させることができる）、という機能がある。
【符号の説明】
【００３６】
１は鋏、２は親指側把手保持具、３は他指側把手保持具、１２，１３は鋏の把手、２１は親指側把手保持具のホルダー部、２２は親指付根装着部、３１は他指側把手保持具のホルダー部、３２は他指装着部、４１は親指、４２は親指付根、４３は他指である。
【図１】
0003192411.tif 000003
【図２】
0003192411.tif 000004
【図３】
0003192411.tif 000005
【図４】
0003192411.tif 000006
【図５】
0003192411.tif 000007